(57)【要約】【課題】  文字順がジャンプして配置させる文字盤の各文字を、それぞれ異なる色彩の文字が時計回りに、例えば１２−５−１０−３−８−１−・・・と配置し、あるいは１２−７−２−９−４−１１−・・・等と配置し、その各文字を多色の蓄光顔料を用いて描くことにより、極めて面白く、幻想的で且つ美しい文字盤を提供する。【解決手段】  時針がジャンプ回動する時計のための文字盤であって、時刻を表示する文字は、ジャンプ回動する時針の位置に対応するように、その時針の位置に対応した時刻の数字であり、これらの各文字はそれぞれ５色（オレンジ、青、パープル、グリーン、白の各色）の蓄光顔料の内の何れかの色の蓄光顔料が塗布されている。【選択図】      図１
2007024802.tif 000002
【特許請求の範囲】
【請求項１】
時針がジャンプ回動する時計のための文字盤であって、時刻を表示する文字は、ジャンプ回動する時針の位置に対応するように、その時針の位置に対応した時刻の数字であり、これらの各文字はそれぞれ５色（オレンジ、青、パープル、グリーン、白の各色）の蓄光顔料の内の何れかの色の蓄光顔料が塗布されていることを特徴とする文字盤。
【請求項２】
請求項１に記載の文字盤であって、時刻を表示する文字（数字）は、時計回りに１２−５−１０−３−８−１−６−１１−４−９−２−７の順であることを特徴とする文字盤。
【請求項３】
請求項１に記載の文字盤であって、時刻を表示する文字（数字）は、時計回りに１２−７−２−９−４−１１−６−１−８−３−１０−５の順であることを特徴とする文字盤。
【請求項４】
請求項１〜３の何れかに記載の文字盤であって、１２時を示す文字の位置が時計の竜頭の位置に対応していることを特徴とする文字盤。
【発明の詳細な説明】
【技術分野】
【０００１】
本発明は時計用の文字盤に係り、特に時刻表示のための文字順が飛び飛びに配置された形式の文字盤において、それぞれ異なる色に発光する蓄光顔料を文字面に塗布した時計用文字盤に関するものである。
【背景技術】
【０００２】
図３は、特許文献１に記載されたごとき従来公知の蓄光顔料を用いた時計用文字盤を有する時計を示している。同図において、後枠０１の前面に前枠０２が固定してあり、前枠０２の前面に形成された凹部には前面カバーが嵌め込まれている。前枠０２は硫化亜鉛（ＺｎＳ）を主成分とする蓄光顔料を混練した合成樹脂材によって構成してあり、前枠０２の凹部の底面は、時計機械体の取付部を兼ねる文字板０３となっている。
【０００３】
文字板０３の前面には、時刻数字又は時刻目盛等の指標に対応した突部０４…が設けてある。各突部０４の表面には、ホットスタンプによって黒色など不透光性の物質を付着して前方から視認容易にしてある。文字板０３は昼間等の明るい環境の所では白地に近い淡い薄緑色の地に黒色の指標が明示され、夜間等の暗い環境の所では明るい環境にあるときの光により蓄えられたエネルギにより薄緑色の光を発するため、薄緑色発光の地に指標が陰影となって視認される。
【０００４】
その他公知の蓄光顔料を用いた時計用文字盤にあっては、文字盤上に印刷又は塗装等によって描かれた文字自体に単色の蓄光顔料を施すようになっている。このため、文字盤自体が単調であり、時計全体として面白味のない時計となっていた。
【特許文献１】特開７−１９８８６８号公報
【発明の開示】
【発明が解決しようとする課題】
【０００５】
本発明は、このような点に鑑みてなされたものであって、本発明の出願人と同一人の出願に係る特願２００５−１５９７４４号に記載された時間指針がジャンプする時計の文字盤構造を基本にしており、その時間数字通りでない、文字順がジャンプして配置させる文字盤の各文字を、それぞれ異なる色彩の文字が時計回りに、例えば１２−５−１０−３−８−１−・・・と配置し、あるいは１２−７−２−９−４−１１−・・・等と配置し、その各文字を多色の蓄光顔料を用いて描くことにより、極めて面白く、幻想的で且つ美しい文字盤を提供するものである。
【課題を解決するための手段】
【０００６】
本発明は、時針がジャンプ回動する時計のための文字盤であって、時刻を表示する文字は、ジャンプ回動する時針の位置に対応するように、その時針の位置に対応した時刻の数字であり、これらの各文字はそれぞれ５色（オレンジ、青、パープル、グリーン、白の各色）の蓄光顔料の内の何れかの色の蓄光顔料が塗布されていることを特徴とする文字盤である。
また、時刻を表示する文字（数字）は、時計回りに１２−５−１０−３−８−１−６−１１−４−９−２−７の順であるか、１２−７−２−９−４−１１−６−１−８−３−１０−５の順であることを特徴とし、１２時を示す文字の位置が時計の竜頭の位置に対応させることができる。
【発明の効果】
【０００７】
本発明によれば、時間表示文字の順番が飛び飛びに配列された時計用文字盤の文字に、それぞれ５色の蓄光顔料の内の何れかを塗布しているので、文字盤自体が極めてカラフルで美しく、また、多色の蛍光によって暗闇でも幻想的な雰囲気を醸し出し、時計全体を面白い構成にすることができる。
更に、多色の蓄光顔料の塗布配置や発光量のバランスを変更することによって、種々の色模様や雰囲気の文字盤を得ることができた。
【発明を実施するための最良の形態】
【０００８】
本発明の実施の形態を図１及び図２により説明する。
これらの図に記載された本発明に係る文字盤１１は、例えば一般的な腕時計１０のごとき機械式の時計に用いられるものである。これらの文字盤１１には、本発明に特有の文字順で時刻表示がなされており、図１における文字盤１１には、例えば竜頭１２の位置を１２時として、時計回りに５時，１０時，３時，８時，１時，６時，１１時，４時，９時，２時，７時の順に、その数字が配置されている。なお、例えば１２時の文字位置を文字盤のどの位置にするかは、全く自由である。
【０００９】
ここで文字盤１１における時刻表示用数字の配列について説明すると、詳細は特願２００５−１５９７４４号の明細書に開示された通りであるけれども、従来通常の時計における分歯車の回転を時間歯車に伝達する機構を新規な構造とし、分歯車の６０分経過後（１回転後）に時間指針が装着された時間歯車をジャンプ回動させることによって、当該時刻表示用数字の配列を独特なものとしたのである。
【００１０】
すなわち、分歯車に噛み合うカウンター歯車と、これをジャンプ回動させるカム機構とを有し、該カム機構の作用によって分歯車に連動するカウンター歯車を、１時間毎に１５０°又は２１０°程ジャンプ回動させるもので、この時の時間指針に対応する時刻表示文字の位置は上述の通り、例えば時計回りに１２時，５時，１０時，３時，８時，１時，６時，１１時，４時，９時，２時，７時の順に配列されるものである。
【００１１】
このように配置されたそれぞれの文字（数字）は、例えばその数字である２，５，８及び１１の文字にオレンジ色に発光する蓄光顔料が塗布され、１，７の文字には青色に発光する蓄光顔料が塗布され、同様に４，１０の文字にはパープルに発光する蓄光顔料が塗布され、３，９はグリーンに発光する蓄光顔料が塗布され、６，１２の文字は白色蓄光顔料である。なお、これらの蓄光顔料自体は公知のものが使用される。
【００１２】
また、これらの文字列は例えば１２時の位置が、この実施例では竜頭１２の位置に配置されているけれども、この位置の変更は自由であって、上記文字列（１２−７）の順番さえ守られていれば良いものである。
また同様に、文字のそれぞれの色彩も、上記５色の内のどの色をどの文字に選択塗布するかは自由であって、特に、何色の文字を多くするかとか、目立つ色文字を文字盤のどの位置に配置するか等の選択も、その時計自体の外観などと調和させて自在に選択するものである。
【００１３】
図２に示す文字盤１１は、上記他の実施例である１２時，７時，２時，９時，４時，１１時，６時，１時，８時，３時，１０時，５時の順に配列された文字配列の例を示しており、これらの時刻表示文字１３〜１３の表面と各指針１４，１４に上記の蓄光顔料が塗布されている。
図から明らかなように、各文字１３〜１３の上面と各指針１４，１４に塗布された蓄光顔料によって、その蛍光発光部分が暗闇でも多色に発光し、幻想的な雰囲気を醸し出すものである。
【図面の簡単な説明】
【００１４】
【図１】本発明の文字盤を備えた腕時計の平面図である。
【図２】他の実施例に係る文字盤の平面図である。
【図３】従来公知の蓄光顔料を施した時計文字盤を有する時計の正面図である。
【符号の説明】
【００１５】
１０    時計
１１    文字盤
１２    竜頭
１３    時刻表示文字
１４    指針
【図１】
2007024802.tif 000003
【図２】
2007024802.tif 000004
【図３】
2007024802.tif 000005